(57)【特許請求の範囲】
【請求項１】
側壁（３）の上縁部にフランジ（５）が周設された有底カップ状の容器本体（２）と、前記フランジ（５）よりも径方向外側に向かって突出するタブ（８）を有すると共に前記フランジ（５）に接合されて前記容器本体（２）を封止する蓋体（７）と、を備えたカップ状容器において、
前記フランジ（５）に前記容器本体（２）の底部方向に折り返す折り返し部（５ｂ）を形成し、前記側壁（３）の外側で且つ前記折り返し部（５ｂ）の内側に、折り曲げ状態としたタブ（８）を挟み込んで保持することを可能とする保持部（９）を設けると共に、前記保持部（９）の奥部から入り口に向かって徐々に高さ寸法が高くなる凸状の縦リブ（１０）を、前記側壁（３）の表面と前記折り返し部（５ｂ）の内面の少なくとも一方に形成し、一部開封された蓋体（７）が閉蓋状態に設定されるようにしたことを特徴とする閉蓋状態保持機能付きカップ状容器。
【請求項２】
側壁（３）と折り返し部（５ｂ）との間に中間折り返し部（５ｃ）を形成し、前記折り返し部（５ｂ）と前記中間折り返し部（５ｃ）との間に保持部（９）が設けられている請求項１記載の閉蓋状態保持機能付きカップ状容器。
【請求項３】
折り返し部（５ｂ）が、フランジ（５）の周方向の一箇所で且つタブ（８）と重なる位置に形成されている請求項１又は２に記載の閉蓋状態保持機能付きカップ状容器。
【請求項４】
折り返し部（５ｂ）が、フランジ（５）の全周に亘って形成されている請求項１又は２に記載の閉蓋状態保持機能付きカップ状容器。
【請求項５】
複数の縦リブ（１０）が、周方向に一定の間隔で形成されている請求項１乃至４のいずれか一項に記載の閉蓋状態保持機能付きカップ状容器。
【請求項６】
保持部（９）は、入り口側の対向間隔（ｄ１）が奥部側の最大対向間隔（ｄ２）よりも狭い寸法で形成されている請求項１乃至５のいずれか一項に記載の閉蓋状態保持機能付きカップ状容器。
【発明の詳細な説明】
【技術分野】
【０００１】
本発明は、カップ麺など即席食品の包装に使用するカップ状容器に関わり、特に、即席食品を食するために蓋体を剥がし、熱湯を注ぎ、蓋体を再封して、蒸らし調理を行っている最中に、蓋体が開封してしまうことを防止した閉蓋状態保持機能付きカップ状容器に関する。
【背景技術】
【０００２】
カップ麺などの即席食品を収納するカップ状容器は、先ずカップ状容器のフランジからシート状の蓋体の一部分を剥がし、その開口部から、一旦、液体スープの素や具の入った袋を取り出す。次に、袋の中身だけをカップ状容器内に戻して熱湯を注ぎ、開封後の蓋体でカップ状容器の開口部を再封する。そして、この状態で所定時間蒸らすことにより、調理が完成しカップ状容器内の即席食品を食することが可能となっている。
【０００３】
従来、蒸らし調理中に蓋体が開封することを防止する手段としては、例えば蓋体の上に支持部材を載せたり、容器本体側のフランジと蓋体とを洗濯バサミのような挟持部材で挟むなど他の部材を用いて行うものがある（例えば、特許文献１、特許文献２参照）。
【０００４】
また即席食品を包装するカップ状容器に閉蓋状態を保持する機能を持たせた技術としては、例えば以下の特許文献３などが存在する。
特許文献３に記載の発明は、表基材層２０、剥離剤層１４及びプラスチックフィルム層５０を備えた積層体構造の蓋材Ａの表基材層２０にフック部１が、プラスチックフィルム層５０にフック部差込用切れ目２が形成されており、蓋材Ａの開封用プルタブ５をつまんで蓋材Ａを容器本体Ｂから開封すると、表基材層２０にフック部１が形成され、剥離剤層１４が設けられた剥離領域Ｃ内にプラスチックフィルム層５０が露出し、フック部１を差し込むためのフック部差込用切れ目２が現出する。そして、蓋材Ａのフック部１をフック部差込用切れ目２に差し込むことにより、閉蓋状態を保持することができるようになっている。
【先行技術文献】
【特許文献】
【０００５】
【特許文献１】特開２０００−６９９２４号公報
【特許文献２】特開２００７−１３０４３２号公報
【特許文献３】特開２００６−１０３７４６号公報
【発明の概要】
【発明が解決しようとする課題】
【０００６】
しかし、特許文献１及び特許文献２に記載のものは支持部材や挟持部材などの他の部材を使用する構成であるところ、即席食品を調理する際、常に他の部材が身近にあるとは限らないし、また即席食品の数よりも支持部材や挟持部材の数が少ない場合もあり、他の部材を用いて閉蓋状態を保持することは必ずしも適切な手段であるとは云い難い。
【０００７】
他方、特許文献３に記載の発明では、蓋材側にフック部とフック部差込用切れ目の双方を形成する構成であるため、蓋材を形成するシートの構成が複雑となり製造コストが高騰しやすいという問題がある。
【０００８】
またフック部１は、開封用プルタブ５部分に設けられる構成ではなく、フック部差込用切れ目２と共に開封用プルタブ５近傍の剥離領域Ｃに設けられる構成であるところ、剥離領域Ｃは容器本体Ｂの外縁部６よりも開口部の中心側に張り出す構造となっている（引用文献３の図２参照）。このため、このような容器を用いた即席食品では、麺やスープが中心側に張り出した剥離領域Ｃに引っ掛かりやすく、食事をスムーズに行うことが困難であるという問題がある。
【０００９】
さらに閉蓋状態とするには、フック部をフック用差込切れ目に差し込む必要があるところ、例えば不慣れな者や老眼を患う者にとってはフック部を小さな切れ目に差し込む作業は困難を伴うという問題がある。
【００１０】
本発明は、上記した従来技術における問題点を解消すべく、蓋体の一部を開封した後に閉蓋状態の保持を簡単且つ安価な構成で、しかも容易な作業により達成することのできる閉蓋状態保持機能付きカップ状容器を創出することを課題とする。
【課題を解決するための手段】
【００１１】
上記課題を解決するための手段のうち、本発明の主たる構成は、
側壁の上縁部にフランジが周設された有底カップ状の容器本体と、フランジよりも径方向外側に向かって突出するタブを有すると共にフランジに接合されて容器本体を封止する蓋体と、を備えたカップ状容器において、
フランジに容器本体の底部方向に折り返す折り返し部を形成し、側壁の外側で且つ折り返し部の内側に、折り曲げ状態としたタブを挟み込んで保持することを可能とする保持部を設けと共に、保持部の奥部から入り口に向かって徐々に高さ寸法が高くなる凸状の縦リブを、側壁の表面と折り返し部の内面の少なくとも一方に形成し、一部開封された蓋体が閉蓋状態に設定されるようにしたことを特徴とする、と云うものである。
【００１２】
本発明の閉蓋状態保持機能付きカップ状容器は、蓋体から延出され、フランジよりも径方向外側に向かって突出するタブを、折り返し部の形状に倣いながらその下端側に折り曲げ、さらに側壁の外側と折り返し部との間のスペースである保持部に差し込んで保持させることにより、一度開封してお湯を注ぎ込んだ状態にあるカップ状容器の閉蓋状態を維持する。
【００１４】
また、保持部を形成する折り返し部と側壁との間の対向間隔を縦リブの高さによって狭くすることにより保持部の保持力を高めると共に、高い側壁強度を達成する。
【００１５】
また本発明の他の構成は、請求項１記載の発明において、側壁と折り返し部との間に中間折り返し部を形成し、折り返し部と中間折り返し部との間に保持部が設けられている、と云うものである。
【００１６】
上記構成では、側壁と折り返し部との間に中間折り返し部を設けることにより、保持部の径方向の幅寸法を狭くして高い保持力を備えた保持部を達成する。
【００１７】
また本発明の他の構成は、上記いずれかに記載の発明において、折り返し部が、フランジの周方向の一箇所で且つタブと重なる位置に形成されている、と云うものである。
【００１８】
上記構成では、タブの形成位置と折り返し部の形成位置を周方向において一致させることにより、蓋体側のタブの、容器本体側の保持部での保持を確実に達成して閉蓋状態を維持する。
【００１９】
また本発明の他の構成は、上記いずれか記載の発明において、折り返し部が、フランジの全周に亘って形成されている、と云うものである。
【００２０】
上記構成では、保持部としての利用をフランジの全周に亘って達成する。
【００２３】
また本発明の他の構成は、上記いずれかに記載の発明において、複数の縦リブが、周方向に一定の間隔で形成されている、というものである。
【００２４】
上記構成では、高い保持力を備えた保持部をフランジの全周に亘って達成する。
【００２５】
さらに本発明の他の構成は、上記いずれかに記載の発明において、保持部は、入り口側の対向間隔が奥部側の最大対向間隔よりも狭い寸法で形成されている、というものである。
【００２６】
上記構成では、保持部の入り口側を狭くして高い保持力を備えた保持部を達成する。
【発明の効果】
【００２７】
本発明は、上記した構成となっているので、以下に示す効果を奏する。
本発明の主たる構成においては、蓋体側のタブと、容器本体側の側壁の外側に設けた保持部とにより、閉蓋状態の保持を簡単且つ安価に構成することができると共に、タブの先端を折り曲げて保持部に差し込むだけという簡単な作業により、一部開封した蓋体の閉蓋状態の保持を確実に達成することができる。
しかも従来のように容器本体の開口端の中心側に張り出す剥離領域を不用とすることができるので、麺やスープをスムーズに取り出して食することが可能となる。
【００２８】
また、凸状の縦リブが、側壁の表面と折り返し部の内面の少なくとも一方に形成されているので、保持部の保持力を高めことにより、タブを確実に保持することが可能となる。また側壁の強度を高めることができるため、シール受け治具による蓋体の接合面への接合作業を、容器本体側に不要な変形を与えることなく行うことができる。
【００２９】
また、側壁と折り返し部との間に中間折り返し部を形成し、折り返し部と中間折り返し部との間に保持部が設けられているとした構成にあっては、保持部の径方向の寸法を狭くして保持部の保持力を向上させることができる。さらに内側の挿入部をシール受け治具装着用として、外側の保持部をタブ保持用として別々に利用することが可能となり、挿入部での蓋体の接合及び保持部でのタブの保持を確実に行うことができる。
【００３０】
また、折り返し部が、フランジの周方向の一箇所で且つタブと重なる位置に形成されているとした構成にあっては、折り返し部をフランジの全周に亘って形成する必要がなくフランジを形成する原材料を少なくすることができるため、製造コストを低減することができる。さらに保持部の形成位置を目視だけでなく、手で触れることによっても確認することが可能となり、より使いやすいカップ状容器とすることができる。
【００３１】
他方、折り返し部が、フランジの全周に亘って形成されている構成にあっては、フランジの外側を全周に亘って保持部として利用することができるため、蓋体側のタブの形成位置が周方向に位置ずれしたカップ状容器であっても、閉蓋状態を確実に維持することが可能となる。
【００３３】
また、複数の縦リブが、側壁の周囲に一定の間隔で形成されている構成にあっては、全周に亘る保持部の保持力を高めることができると共に容器本体の全体的な強度を高めることができる。
【００３４】
また、保持部は、入り口側の対向間隔が奥部側の最大対向間隔よりも狭い寸法で形成されているとした構成にあっては、保持部の保持力を高めることにより、折り曲げ状態のタブを保持部に差し込むだけで確実に保持することができるようになる。
【図面の簡単な説明】
【００３５】
【図１】本発明のカップ状容器を示す斜視図である。
【図２】図１に示すカップ状容器の平面図である。
【図３】図１に示すカップ状容器の縦方向の半断面図である。
【図４】図１に示すカップ状容器の要部を示すと共に第１参考例としてのフランジを拡大して示す部分断面図であり、Ａは蓋体を接合する前の後加工処理を示し、Ｂはタブが保持された状態を示している。
【図５】第２参考例としてのフランジを拡大して示す部分断面図である。
【図６】第１実施例としてのフランジを拡大して示す部分断面図である。
【図７】第２実施例としてのフランジを拡大して示す部分断面図である。
【発明を実施するための形態】
【００３６】
以下、本発明の実施の形態について図面を参照しつつ説明する。
図１は本発明のカップ状容器を示す斜視図、図２は図１に示すカップ状容器の平面図、図３は図１に示すカップ状容器の縦方向の半断面図である。図４は図１に示すカップ状容器の要部を示すと共に第１参考例としてのフランジを拡大して示す部分断面図であり、Ａは蓋体を接合する前の後加工処理を示し、Ｂはタブが保持された状態を示している。
図１乃至図３に示すように、本発明のカップ状容器１は、カップ麺などの即席食品、スープの素及びその他の具材を収納する開口部２ａを備えた容器本体２と、このカップ状容器１を封止するシート状の蓋体７とを有して構成される。
【００３７】
この実施例では、容器本体２が、略円筒状からなる側壁３と円盤状の底壁４とからなる有底筒形状をしたものとして説明するが、容器本体２の形状は有底筒形状に限られるものではなく、例えば底部が丸い形状からなるいわゆるドンブリ形状を含むものであり、いわば有底カップ状である。容器本体２の上縁部、すなわち側壁３の上端には、径方向外側にリング状に迫り出すフランジ５が一体に周設されており、このフランジ５の上面が蓋体７との接合面５ａである。
【００３８】
容器本体２は、例えば熱成形法や射出成形法により形成されている。容器本体２の材料としては、例えばシート状の合成樹脂などを用いて形成されている。合成樹脂製は単層構造であってもよいし、積層構造であってもよい。なお、容器本体２は紙材を用いて形成されたものであってもよい。
【００３９】
蓋体７は、例えばシート状のアルミ箔、紙材及び合成樹脂のうちの２種以上を接合して製造される合成シートから形成されている。図１及び図２に示すように、蓋体７の周方向一箇所の位置には、指先で摘んで蓋体７の開蓋作業及び閉蓋作業を行うためのタブ８が、径方向の外側に向かって凸状に突出する状態で一体に形成されている。
【００４０】
カップ状容器１は、容器本体２の開口部２ａ内に即席食品、スープの素、スパイス及びその他の具材を収納した後に、蓋体７がフランジ５の接合面５ａに熱溶着等の手段により固着されて封止される。タブ８は、接合面５ａと接触する部分のみが接合状態にあり、フランジ５の外側に突出している部分は非接合状態にある。
【００４１】
カップ状容器１で調理するには、先ず蓋体７の一部を部分的に剥がして開口部２ａを部分的に露出させる。次に、容器本体２からスープの素、スパイス及びその他の具材等が入った袋体を取り出し、これら袋体の封を切って中身だけを容器本体２内の麺の上に戻す。そして、容器本体２内にお湯を注ぎ、閉蓋状態を保持しながら所定時間蒸した後、蓋体７を大きく開封することにより食することが可能となる。
【００４２】
ここで、蓋体７の部分的な開封による開蓋作業は、タブ８を摘みながら容器本体２から離れる斜め上方ａ（図４Ｂ参照）に強く引き上げることにより行うことができ、この際に蓋体７がフランジ５の接合面５ａから剥離して開蓋状態に設定される。
【００４３】
図４Ａに示すように、第１参考例に示すフランジ５には垂下する方向に折り返された折り返し部５ｂが設けられている。そして、折り返し部５ｂの下端５ｂ１と側壁３との対向間隔ｄ１が折り返し部５ｂの上端５ｂ２と側壁３との間の最大対向間隔ｄ２よりも狭い寸法に形成されている（ｄ１＜ｄ２）。折り返し部５ｂは、成形後のカップ状容器１に後加工を行うことにより、下端５ｂ１が側壁３に接近するように形付けられている。この折り返し部５ｂと側壁３との間に形成されるスペース部分が保持部９である。
【００４４】
そして、図４Ｂに示すように、剥離されて非接合状態にあるタブ８を摘みながら元の水平姿勢に戻すことにより開口部２ａを閉じることができる。次に、タブ８をフランジ５の折り返し部５ｂの形状に倣いながら図示α１方向に折り曲げ、さらにタブ８の先端のみを保持部９の内側に折り込み、この状態で保持部９に差し入れると、タブ８の先端が保持部９で保持され、これにより蓋体７の閉蓋状態の維持が可能となる。このように、タブ８の先端をフランジ５の下部位置で保持部９内に折り曲げた状態で差し入れるだけという簡単な操作により、一度開封したカップ状容器１の閉蓋状態を維持することができる。
なお、第１参考例では、折り返し部５ｂがフランジ５の全周に亘って形成されているので、タブ８の形成位置は蓋体７の周縁部のいずれの位置であってもよい。
【００４５】
蓋体７を再び開封するには、タブ８の先端を摘みながら保持部９から引き出す操作を行うだけで、折り込み状態にあるタブ８が保持部９から簡単に引き出されて蓋体７の閉蓋状態を終了させることが可能となる。続いてタブ８を閉蓋時とは逆方向に持ち上げ、さらに斜め上方ａに引き上げることにより、蓋体７がフランジ５の接合面５ａから剥離してより完全な開蓋状態に設定される。
【００４６】
第１参考例では、保持部９内に折り曲げた状態で差し入れられたタブ８は、この保持部９内で復元して折り曲げ状態から拡張変形しようとする。ここで、保持部９は対向間隔ｄ１からなる入り口側（下端５ｂ１側）より、最大対向間隔ｄ２を有する奥部の方が広い構造である。このため、タブ８は入り口側よりも奥部の位置で大きく拡張変形することになるので、タブ８の保持部９からの抜け出にくくすることができる、すなわち、保持部９の入り口側を奥部より狭い構造とすることにより、タブ８を保持する保持部９の保持力を高め、より確実に閉蓋状態の維持を可能とすることができる。
【００４７】
次に、本発明の第２参考例について説明する。
図５は第２参考例として、カップ状容器のフランジを拡大して示す部分断面図である。なお、図５では蓋体を省略した状態を示しているが、蓋体及びタブの基本的な作用及び効果は第１参考例と同様である。
第２参考例に示すカップ状容器１が第１実施例と大きく異なる点はフランジ５の形状が断面円弧状である点にあり、その他の構成は上記第１参考例と同様である。
【００４８】
図５に一点鎖線で示すように、第２参考例に示すカップ状容器１では、成形時に容器本体２の側壁３の上縁部に、断面が半円形状からなるフランジ５が形成される。そして、図５に実線で示すように、成形後にフランジ５の下端５ｂ１を側壁３に接近する方向にカール状に変形させる後加工を行うことにより、フランジ５の外側にほぼ３／４円形状の折り返し部５ｂが形付けられている。このような折り返し部５ｂは、フランジ５の全周に亘って略環状に形成されている。折り返し部５ｂの下端５ｂ１と側壁３とが対向する入り口部分の対向間隔ｄ１は、それよりも奥側に設けられた最大対向間隔ｄ２よりも狭く形成されており、この入り口部分から奥側が保持部９を構成している。
【００４９】
第２参考例では、フランジ５の上端５ｂ２は蓋体７が接合される接合面５ａであるが、第１参考例同様に上端５ｂ２よりも径方向外側に向かって突出するタブ（図示せず）をフランジ５の形状に倣うように湾曲させ、さらにタブの先端を折り曲げてフランジ５の下部位置で対向間隔ｄ１の入り口部分から保持部９内に差し入れることにより、保持部９内にタブを保持させることが可能である。
なお、第２参考例においても折り返し部５ｂがフランジ５の全周に亘って形成されているので、タブ８の形成位置は蓋体７の周縁部上のいずれの位置であってもよい。
【００５０】
次に、本発明の第１実施例について説明する。
図６は第１実施例として、カップ状容器のフランジを拡大して示す部分断面図である。
第１実施例に示すカップ状容器１が第１参考例と大きく異なる点は側壁３に縦リブ１０が形成されている点及びタブ８が蓋体７の縁部に全周に亘って形成されている点にあり、その他の構成は上記第１参考例と同様である。
【００５１】
図３に示すように、第１実施例では、フランジ５の折り返し部５ｂと対向する側壁３の表面に、縦リブ１０が径方向外側に向かって凸状に突出する状態で且つ側壁３の上端から底壁４の方向に沿って縦長状に一体形成されている。第１実施例においても折り返し部５ｂと側壁３とが対向するスペースが保持部９である。縦リブ１０はこの保持部９内に一定の間隔を有して周設されている。このため、第１実施例では、周方向の任意の位置で、タブ８を折り曲げてその先端を保持部９に差し入れることにより、閉蓋状態とすることができる。
【００５２】
ところで、蓋体７を容器本体２側の接合面５ａに接合するには、図示しないシール受け治具を保持部９内に挿入し、蓋体７をフランジ５の接合面５ａに熱溶着等させる必要があるところ、シール受け治具を挿入するためには保持部９の幅寸法をある程度広く形成する必要がある。しかしながら、保持部９の幅寸法が広すぎると、保持部９での保持力が低くなって開蓋状態を維持することが困難となる。
【００５３】
そこで、第１実施例に示すように、側壁３の表面に縦リブ１０を形成するようにすると、シール受け治具が挿入される折り返し部５ｂと側壁３の表面（縦リブ１０の基部）との間である保持部９の幅寸法を広くしても、折り返し部５ｂと縦リブ１０の頭頂部との間の幅寸法を狭くすることができるため、この保持部９の保持力の低下を防止することが可能となる。すなわち、第１実施例では、保持部９内にシール受け治具を受け入れるためのスペースの確保と保持部９での保持力の強化とを同時に達成することができる。
【００５４】
次に、本発明の第２実施例について説明する。
図７は第２実施例として、カップ状容器のフランジを拡大して示す部分断面図である。
第２実施例に示すカップ状容器１が第１参考例と大きく異なる点は、側壁３の外側に折り返し部が二重に形成されている点にあり、その他の構成は上記第１参考例と同様である。
【００５５】
図７に示すように、このカップ状容器１では、容器本体２の外側、すなわち側壁３と折り返し部５ｂとの間に中間折り返し部５ｃが周設され、これら二重に形成された折り返し部５ｂと中間折り返し部５ｃとによりフランジ５が構成されている。そして、内側である側壁３と中間折り返し部５ｃとの間に挿入部１１が設けられ、外側である中間折り返し部５ｃと折り返し部５ｂとの間に保持部９が設けられている。
【００５６】
第２実施例においては、折り返し部５ｂと側壁３との間に中間折り返し部５ｃを設けることにより、狭い径方向の幅寸法からなる保持部９を達成している。そして、折り返し部５ｂの下端５ｂ１とこれに対向する中間折り返し部５ｃとの間である保持部９の入り口側の対向間隔ｄ１は、保持部９の奥部側の最大対向間隔ｄ２よりも狭く形成されている。よって、第２実施例においても、タブ８の先端を折り曲げ、折り返し部５ｂの下部（下端５ｂ１）位置にあって対向間隔ｄ１からなる入り口部分から保持部９内に差し入れることにより、タブ８をこの保持部９において比較的強固に保持することができ、一度開封した後の蓋体７の開蓋状態を確実に維持することが可能である。
【００５７】
なお、シール受け治具を挿入部１１へ挿入することは可能であるが、保持部９への挿入は不可能となるように、挿入部１１の径方向の幅寸法が、保持部９の径方向の幅寸法よりも広く形成されている。よって、蓋体７をフランジ５の接合面５ａに接合してカップ状容器１を封止するときには、図示しないシール受け治具を幅広の挿入部１１に挿入して行うことにより可能となっている。
すなわち、この第２実施例においても、蓋体７を接合するためのシール受け治具挿入用のスペースの確保と保持部９での保持力の強化とを同時に達成することが可能である。
【００５８】
以上、参考例及び実施例に沿って本発明の構成とその作用効果について説明したが、本発明の実施の形態は上記参考例及び実施例に限定されるものではない。
【００５９】
例えば上記第１参考例、第２参考例、第１実施例及び第２実施例では、折り返し部がフランジ５の全周に亘って形成される構成を示して説明したが、本発明はこれに限定されるものではなく、折り返し部はフランジ５の外縁部のいずれか一箇所の位置に形成される構成であってもよい。この場合、蓋体７側のタブ８を、折り返し部と周方向において重なる位置に形成する構成が好ましい。この構成では、折り返し部を形成する材料を少なくすることができるため、全体的な製造コストを低減することが可能となる。
【００６０】
また上記第１実施例では、保持部９での保持力を強化する手段として、側壁３の表面に縦リブ１０を形成する構成を示して説明したが、本発明はこれに限られるものではなく、縦リブ１０を折り返し部５ｂの内面（側壁３との対向面）に径方向内側に向けて凸状に突出形成する構成であってもよい。あるいは縦リブ１０を側壁３の表面と折り返し部５ｂの内面の双方に凸状に突出形成する構成としても、保持部９の保持力を高めることが可能である。
【００６１】
加えて、縦リブ１０は、側壁３とフランジ５の周方向の一箇所に形成された折り返し部５ｂとの対向部分の少なくとも一方に部分的に形成される構成であってもよいし、複数の縦リブ１０を全周に亘って形成された側壁３の表面と同じく全周に亘って形成された折り返し部５ｂの内面の少なくとも一方に周方向に沿って一定の間隔で形成される構成であってもよい。なお、前者の場合には、タブ８は、蓋体７の周方向の一箇所の位置で、押し返し部５ｂと重なる位置に形成するようにした構成が好ましい。
【００６２】
また第２実施例では、折り返し部５ｂを全周に亘って形成してもよいし、周方向の一箇所でタブ８と重なる位置に部分的に形成する構成であってもよい。
加えて、縦リブはフランジ５の周方向の一箇所に形成された折り返し部５ｂと全周に亘って形成された中間折り返し部５ｃとの対向部分の少なくとも一方に部分的に形成される構成であってもよいし、複数の縦リブを、全周に亘って形成された折り返し部５ｂと同じく全周に亘って形成された中間折り返し部５ｃの少なくとも一方に周方向に沿って一定の間隔で形成される構成であってもよい。
【産業上の利用可能性】
【００６３】
本発明の閉蓋状態保持機能付きカップ状容器は、カップ麺等の即席食品を包装する分野における用途展開をさらに広い領域で図ることができる。
【符号の説明】
【００６４】
１    ；カップ状容器
２    ；容器本体
３    ；側壁
４    ；底壁
５    ；フランジ
５ａ  ；接合面
５ｂ  ；折り返し部
５ｂ１；折り返し部の下端
５ｂ２；折り返し部の上端
５ｃ  ；中間折り返し部
７    ；蓋体
８    ；タブ
９    ；保持部
１０  ；縦リブ
１１  ；挿入部
【図１】
0005807820.tif 000002
【図２】
0005807820.tif 000003
【図３】
0005807820.tif 000004
【図４】
0005807820.tif 000005
【図５】
0005807820.tif 000006
【図６】
0005807820.tif 000007
【図７】
0005807820.tif 000008